(57)【特許請求の範囲】
【請求項１】
光ケーブルコネクタ、又は電気コネクタであり、粘着スリーブと先端が差し込み側であるサポートとを含む浮遊調整可能なシール機構と、プラグとを含むコネクタにおいて、サポートの内部孔は、案内方向が前後方向に沿って延びる案内取付セクションを有し、粘着スリーブには、前記案内取付セクションに摺動して密封係合する案内係合セクションが設けられ、粘着スリーブは、案内係合セクションによって前記サポートの内部孔に取り付けられ、案内取付セクションの長さは、前記案内係合セクションの長さより大きい、ことを特徴とするコネクタ。
【請求項２】
粘着スリーブにおける前記案内係合セクションより後ろ側には、少なくとも２つの回転停止キー溝が設けられ、サポートの内部孔壁には、対応する回転停止キー溝に前後方向に沿って挿入される回転停止キーが設けられ、各回転停止キー溝の後端部には、後ろから前方に向かって径が徐々に小さくなる案内ノッチを有し、案内ノッチの両側溝壁は、直線状壁面または円弧状壁面であり、隣接する２つの案内ノッチの隣接側溝壁の後端部は、一体に連結される、ことを特徴とする請求項１に記載のコネクタ。
【請求項３】
粘着スリーブと前記プラグとは、支持連結スリーブによって連結され、支持連結スリーブの外周面には、支持連結スリーブの周方向に沿って延びる長い溝が設けられる、ことを特徴とする請求項１に記載のコネクタ。
【請求項４】
サポートの前端部には、対応するレセプタクルに回転停止するように差し込まれる回転防止差込構造が設けられる、ことを特徴とする請求項１に記載のコネクタ。
【請求項５】
サポートは、回転可能なハウジングに内包され、サポートには、ハウジングの前方移動限界を規制するフロント位置規制突起が設けられ、前記サポートにおける前記フロント位置規制突起より後ろ側には、リヤ位置規制突起が設けられ、ハウジングにおけるフロント位置規制突起とリヤ位置規制突起との間には、前記リヤ位置規制突起に当接して係合することにより、サポートに対するハウジングの後方移動限界を規制するためのハウジング位置規制部が設けられる、ことを特徴とする請求項１〜４のいずれか１項に記載のコネクタ。
【請求項６】
粘着スリーブと、先端が差し込み側であるサポートとを含む、コネクタの浮遊調整可能なシール機構において、サポートの内部孔は、案内方向が前後方向に沿って延びる案内取付セクションを有し、粘着スリーブには、前記案内取付セクションに摺動して密封係合する案内係合セクションが設けられ、粘着スリーブは、案内係合セクションによって前記サポートの内部孔に取り付けられ、案内取付セクションの長さは、前記案内係合セクションの長さより大きい、ことを特徴とする浮遊調整可能なシール機構。
【請求項７】
粘着スリーブにおける前記案内係合セクションより後ろ側には、少なくとも２つの回転停止キー溝が設けられ、サポートの内部孔壁には、対応する回転停止キー溝に前後方向に沿って挿入される回転停止キーが設けられ、各回転停止キー溝の後端部には、後ろから前方に向かって径が徐々に小さくなる案内ノッチを有し、案内ノッチの両側溝壁は、直線状壁面または円弧状壁面であり、隣接する２つの案内ノッチの隣接側溝壁の後端部は、一体に連結される、ことを特徴とする請求項６に記載の浮遊調整可能なシール機構。
【請求項８】
粘着スリーブの前端部には、プラグと連結するための支持連結スリーブが設けられ、支持連結スリーブの外周面には、支持連結スリーブの周方向に沿って延びる長い溝が設けられる、ことを特徴とする請求項６に記載の浮遊調整可能なシール機構。
【請求項９】
サポートの前端部には、対応するレセプタクルに回転停止するように差し込まれる回転防止差込構造が設けられる、ことを特徴とする請求項６に記載の浮遊調整可能なシール機構。
【請求項１０】
サポートは、回転可能なハウジングに内包され、サポートには、ハウジングの前方移動限界を規制するフロント位置規制突起が設けられ、前記サポートにおける前記フロント位置規制突起より後ろ側には、リヤ位置規制突起が設けられ、ハウジングにおけるフロント位置規制突起とリヤ位置規制突起との間には、前記リヤ位置規制突起に当接して係合することにより、サポートに対するハウジングの後方移動限界を制限するためのハウジング位置規制部が設けられる、ことを特徴とする請求項６〜９のいずれか１項に記載の浮遊調整可能なシール機構。
【発明の詳細な説明】
【技術分野】
【０００１】
本発明は、信号伝達分野における浮遊調整可能なシール機構及び当該機構を用いたコネクタに関する。
【背景技術】
【０００２】
特許文献１に開示される「光ケーブルコネクタ」のように、従来の屋外用光ケーブルコネクタは、先端が差込側である光ファイバプラグと光ファイバプラグを内包するサポートとを含む。サポートは、ハウジングに内包される。ハウジングは、サポートに対し回転可能である。サポートには、ハウジングの前方移動限界を規制するハウジング位置規制突出台が設けられる。サポートの後端部には、収縮爪が設けられる。ハウジングの外側には、収縮爪に係合する内側テーパー面が設けられる。光ファイバプラグには、光ケーブルによって粘着スリーブが連結される。粘着スリーブは、サポートの内部孔に固定される。使用の際に、作業者は、まず光ファイバプラグを対応する光ファイバレセプタクルに挿入し、それからサポートを後ろから前方へ光ファイバプラグを内包するとともに粘着スリーブをサポートに固定させ、最後に、ハウジングの先端の雌ねじが対応する雄ねじに係合するように、ハウジングを後ろから前方へサポートを内包する。ハウジングの前方移動中に、内側テーパー面が収縮爪を押圧して収縮爪で光ケーブルを締め付けて引っ張り抵抗を実現する。粘着スリーブとサポートとの固定連結により、光ファイバプラグの密封を実現し、水、塵など不純物が後ろから前へ光ファイバプラグに侵入することを防止する。このような従来の光ケーブルコネクタには、以下の問題が存在する。粘着スリーブがサポートの固定位置に固定されるが、実際の使用では、各メーカーから購入される光ファイバプラグの軸方向サイズが一致しないため、サポートの汎用性が劣り、取付精度が高く要求される。また、ハウジングがサポートの後端部から脱離することができるが、取付時に、まずサポートをレセプタクルに係止してからハウジングを装着する必要があり、取付を完成させるには２つのステップが要され、取付の効率が低い。また、大部分のレセプタクルが下向きに開口するため、サポートが落ちやすく、取付しにくい。さらに、光ファイバプラグをレセプタクルに取り付ける過程では、連結位置の空間的規制により、作業者が粘着スリーブを手で持って光ファイバプラグをレセプタクルに挿入することが一般的であるが、光ファイバプラグと粘着スリーブとの間の光ケーブルが比較的軟質なものであるため、当該連結過程が非常に不便である。
【先行技術文献】
【特許文献】
【０００３】
【特許文献１】中国実用新案第２０１４０８２７９号明細書
【発明の概要】
【発明が解決しようとする課題】
【０００４】
本発明の目的は、従来技術において粘着スリーブとサポートとの位置が一定であるため光ケーブルコネクタの汎用性が悪いという問題を解決するためのコネクタを提供することである。本発明の目的は、さらに、当該コネクタに使用される浮遊調整可能なシール機構を提供することである。
【課題を解決するための手段】
【０００５】
本発明のコネクタは、光ケーブルコネクタ、又は電気コネクタである。コネクタは、浮遊調整可能なシール機構と、プラグとを含む。浮遊調整可能なシール機構は、粘着スリーブと先端が差し込み側であるサポートとを含む。サポートの内部孔は、案内方向が前後方向に沿って延びる案内取付セクションを有する。粘着スリーブには、前記案内取付セクションに摺動して密封係合する案内係合セクションが設けられる。粘着スリーブは、案内係合セクションによって前記サポートの内部孔に取り付けられる。案内取付セクションの長さは、前記案内係合セクションの長さより大きい。粘着スリーブにおける前記案内係合セクションより後ろ側には、少なくとも２つの回転停止キー溝が設けられる。サポートの内部孔壁には、対応する回転停止キー溝に前後方向に沿って挿入される回転停止キーが設けられる。各回転停止キー溝の後端部には、後ろから前方に向かって径が徐々に小さくなる案内ノッチを有する。案内ノッチの両側溝壁は、直線状壁面または円弧状壁面である。隣接する２つの案内ノッチの隣接側溝壁の後端部は、一体に連結される。
【０００６】
粘着スリーブと前記プラグとは、支持連結スリーブによって連結される。支持連結スリーブの外周面には、支持連結スリーブの周方向に沿って延びる長い溝が設けられる。
【０００７】
サポートの前端部には、対応するレセプタクルに回転停止するように差し込まれる回転防止差込構造が設けられる。
【０００８】
サポートは、回転可能なハウジングに内包される。サポートには、ハウジングの前方移動限界を規制するフロント位置規制突起が設けられる。前記サポートにおける前記フロント位置規制突起より後ろ側には、リヤ位置規制突起が設けられる。ハウジングにおけるフロント位置規制突起とリヤ位置規制突起との間には、前記リヤ位置規制突起に当接して係合することにより、サポートに対するハウジングの後方移動限界を規制するためのハウジング位置規制部が設けられる。
【０００９】
本発明の浮遊調整可能なシール機構は、コネクタに使用される浮遊調整可能なシール機構であって、粘着スリーブと、先端が差し込み側であるサポートとを含む。サポートの内部孔は、案内方向が前後方向に沿って延びる案内取付セクションを有する。粘着スリーブには、前記案内取付セクションに摺動して密封係合する案内係合セクションが設けられる。粘着スリーブは、案内係合セクションによって前記サポートの内部孔に取り付けられる。案内取付セクションの長さは、前記案内係合セクションの長さより大きい。
【００１０】
粘着スリーブにおける前記案内係合セクションより後ろ側には、少なくとも２つの回転停止キー溝が設けられる。サポートの内部孔壁には、対応する回転停止キー溝に前後方向に沿って挿入される回転停止キーが設けられる。各回転停止キー溝の後端部には、後ろから前方に向かって径が徐々に小さくなる案内ノッチを有する。案内ノッチの両側溝壁は、直線状壁面または円弧状壁面である。隣接する２つの案内ノッチの隣接側溝壁の後端部は、一体に連結される。
【００１１】
粘着スリーブの前端部には、プラグと連結するための支持連結スリーブが設けられる。支持連結スリーブの外周面には、支持連結スリーブの周方向に沿って延びる長い溝が設けられる。
【００１２】
サポートの前端部には、対応するレセプタクルに回転停止するように差し込まれる回転防止差込構造が設けられる。
【００１３】
サポートは、回転可能なハウジングに内包される。サポートには、ハウジングの前方移動限界を規制するフロント位置規制突起が設けられる。前記サポートにおける前記フロント位置規制突起より後ろ側には、リヤ位置規制突起が設けられる。ハウジングにおけるフロント位置規制突起とリヤ位置規制突起との間には、前記リヤ位置規制突起に当接して係合することにより、サポートに対するハウジングの後方移動限界を制限するためのハウジング位置規制部が設けられる。
【発明の効果】
【００１４】
本発明の粘着スリーブは、それに備わる案内係合セクションによってサポートの案内取付セクションに摺動して密封係合してサポートの内部孔に取り付けられる。このように、粘着スリーブがサポートの内部孔中を往復移動することができると同時に、粘着スリーブとサポートの内部孔との密封係合関係が往復移動過程において終始して保証される。使用の際に、粘着スリーブの位置移動によって適応的に調整することにより、コネクタの汎用性を向上させることができる。
【図面の簡単な説明】
【００１５】
【図１】図１は、本発明のコネクタの一実施形態の概略構成図である。
【発明を実施するための形態】
【００１６】
（コネクタの実施形態１）
コネクタの実施形態１を図１に示す。本実施形態のコネクタは、光ケーブルコネクタであり、先端が差し込み側であるプラグ２と浮遊調整可能なシール機構とを含む。プラグは、光ファイバプラグである。浮遊調整可能なシール機構は、支持連結スリーブ４によってプラグ２の後ろ側に設けられる粘着スリーブ６を含む。プラグは、先端が差込側であるサポート７に内包される。サポートの前端部には、対応するレセプタクルに回転停止するように差し込まれる回転防止差込構造が設けられる。本実施形態の回転防止差込構造は、周方向周りに離間して設けられる２つの回転防止扁形ブロック２２である。サポート７は、回転可能なハウジング８に内包される。ハウジング８の前端部には、レセプタクル上の雄ねじに連結するための雌ねじが設けられる。サポートには、ハウジングの前方移動限界を規制するフロント位置規制突起９が設けられる。サポート７におけるフロント位置規制突起９より後ろ側には、リヤ位置規制突起１０が設けられる。ハウジングにおけるフロント位置規制突起とリヤ位置規制突起との間には、リヤ位置規制突起に当接して係合することにより、サポートに対するハウジングの後方移動限界を制限するためのハウジング位置規制部が設けられる。本実施形態において、フロント位置規制突起とリヤ位置規制突起は、共に円環台構造である。ハウジング位置規制部は、ハウジングの取付円環溝に設けられるサークリップ３で構成される。支持連結スリーブの外周面には、支持連結スリーブの周方向に沿って延びる長い溝１９が設けられる。サポートの内部孔は、案内方向が前後方向に沿って延びる案内取付セクション２０を有する。粘着スリーブ６には、案内取付セクション２０に摺動して密封係合する案内係合セクション１１が設けられる。粘着スリーブ６は、案内係合セクション１１によってサポートの内部孔に取り付けられる。案内係合セクション１１は、それに備わるシールリング５によって案内取付セクション２０に密封係合する。案内取付セクション２０の長さは、案内係合セクション１１の長さより大きい。図では、案内係合セクション１１は、案内取付セクションの後端部位置まで移動しており、案内取付セクション２０の先端は、段階面２１の位置まで延びる。粘着スリーブにおける案内係合セクションより後ろ側には、２つの回転停止キー溝が設けられる。サポートの内部孔壁には、対応する回転停止キー溝に前後方向に沿って挿入される回転停止キー１２が設けられる。各回転停止キー溝の後端部には、後ろから前方に向かって径が徐々に小さくなる案内ノッチ１３を有する。案内ノッチ１３の両側溝壁１８は、円弧状壁面である。隣接する２つの案内ノッチの隣接側溝壁の後端部は、一体に連結される。サポートの後端部には、弾性フック１５を有する係止爪１７が設けられる。ハウジングの後端部は、ハウジングがサポートに対し前方移動する際に前記係止爪の弾性フックを押圧して径方向に収縮させる内側テーパー面１４が設けられる。粘着スリーブには、弾性フックに係合する鋸歯状溝１６が設けられる。係止爪の弾性フックは、鋸歯状溝に確実に係止される。図では、１でガスケットを示す。
【００１７】
実際の使用では、支持連結スリーブがある程度の支持強度を有するので、作業者は、直接粘着スリーブを手で持ってプラグを対応するレセプタクルに挿入することができ、密集して雑な配線環境における取付操作が行われやすい。支持連結スリーブ上の長い溝は、支持連結スリーブにある程度の支持強度を持たせると同時にある程度の湾曲扁形量を持たせるため、現場での取付に寄与する。もちろん、長い溝によって、粘着スリーブがプラグに対しある程度の軸方向移動量を持つ。このように、係止爪が鋸歯状溝に正しく係止することに寄与する。プラグをレセプタクルに差し込んだ後、一体に装着したサポートとハウジングを後ろから前へプラグを内包する。回転停止キーと回転停止キー溝との係合により、サポートに対する光ケーブルの回転を防止することができる。回転停止キーと回転停止キー溝との係合位置が深めである（サポートの内部孔の右端部に位置する）ため、案内ノッチの設置によって、回転停止キーの回転停止キー溝への精確な差し込みを実現することができる。回転停止キーは、回転停止キー溝に対応しないと、案内ノッチに沿って対応する回転停止キー溝に案内される。隣接する２つの案内ノッチの隣接側溝壁の後端部が一体に連結されることによって、案内ノッチによる回転停止キーの盲点のない案内を実現することができる。各メーカーから購入されるプラグの軸方向の長さが異なるため、案内取付セクションにおける案内係合セクションの密封案内摺動によって、サポートが異なる長さのプラグに適応することを実現することができる。プラグに挿入するモジュールの長さが一致しない場合、当該構造を使用した光ファイバコネクタも適用することができる。そして、ハウジングを回転させてハウジングをレセプタクルに螺合させる。サポートに対するハウジングの前方移動中に、ハウジングの後端部の内側テーパー面が係止爪の弾性フックを押圧して弾性フックを径方向に収縮させて鋸歯状溝に係止させることによって、安定した引っ張り抵抗性能を実現することができる。ハウジングは、サポートとは事前に一体に装着されて１つの全体部材とするため、サポートの後端部から脱離することがなく、取付が行われやすい。
【００１８】
本コネクタの他の実施形態では、案内係合セクションに設けられるシールリングによらずに、案内係合セクションと案内取付セクションとの密封係合を実現してもよい。例えば、案内取付セクションに前後方向に沿って複数のシールリングを離間して設け、隣接する２つのシールリングの間の距離を案内係合セクションの長さより小さくする。このように、案内係合セクションがどの位置に移動しても、案内取付セクションと案内係合セクションとの密封係合を実現するシールリングがある。隣接する案内ノッチの隣接側壁の後端部は、連結されなくてもよい。案内ノッチの両側溝壁は、直線状溝壁であってもよい。もちろん、案内ノッチは、設けられなくてもよい。フロント位置規制突起、リヤ位置規制突起は、円環台構造でなくてもよく、例えば点状突起であってもよい。サークリップの代わりに、例えば、ハウジングに回転するように装着し径方向に沿ってフロント位置規制突起、リヤ位置規制突起の間に延びるねじなど、他の構造形式のハウジング位置規制部であってもよい。この場合、ねじは、リヤ位置規制突起に当接して係合することによりハウジングの後方移動限界を規制するハウジング位置規制部を構成する。回転停止キー溝の個数は、１個、３個、４個または他の個数であってもよい。回転防止扁形ブロックの代わりに、回転防止キーや回転防止キー溝など他の回転防止差込構造であってもよい。
【００１９】
（コネクタの実施形態２）
実施形態２において、実施形態１とは異なり、本コネクタは、電気コネクタであり、プラグは、電気プラグである。
【００２０】
（コネクタの実施形態３）
実施形態３において、実施形態１とは異なり、本コネクタは、信号コネクタであり、プラグは、信号プラグである。
【００２１】
浮遊調整可能なシール機構の実施形態は、図１に示される。浮遊調整可能なシール機構の具体的な構造は、上述の各コネクタの実施形態で記載した浮遊調整可能なシール機構とは同じであり、ここでは詳細に説明しない。
【００２２】
（付記）
（付記１）
光ケーブルコネクタ、電気コネクタ又は信号コネクタであり、粘着スリーブと先端が差し込み側であるサポートとを含む浮遊調整可能なシール機構と、プラグとを含むコネクタにおいて、サポートの内部孔は、案内方向が前後方向に沿って延びる案内取付セクションを有し、粘着スリーブには、前記案内取付セクションに摺動して密封係合する案内係合セクションが設けられ、粘着スリーブは、案内係合セクションによって前記サポートの内部孔に取り付けられ、案内取付セクションの長さは、前記案内係合セクションの長さより大きい、ことを特徴とするコネクタ。
【００２３】
（付記２）
粘着スリーブにおける前記案内係合セクションより後ろ側には、少なくとも２つの回転停止キー溝が設けられ、サポートの内部孔壁には、対応する回転停止キー溝に前後方向に沿って挿入される回転停止キーが設けられ、各回転停止キー溝の後端部には、後ろから前方に向かって径が徐々に小さくなる案内ノッチを有し、案内ノッチの両側溝壁は、直線状壁面または円弧状壁面であり、隣接する２つの案内ノッチの隣接側溝壁の後端部は、一体に連結される、ことを特徴とする付記１に記載のコネクタ。
【００２４】
（付記３）
粘着スリーブと前記プラグとは、支持連結スリーブによって連結され、支持連結スリーブの外周面には、支持連結スリーブの周方向に沿って延びる長い溝が設けられる、ことを特徴とする付記１に記載のコネクタ。
【００２５】
（付記４）
サポートの前端部には、対応するレセプタクルに回転停止するように差し込まれる回転防止差込構造が設けられる、ことを特徴とする付記１に記載のコネクタ。
【００２６】
（付記５）
サポートは、回転可能なハウジングに内包され、サポートには、ハウジングの前方移動限界を規制するフロント位置規制突起が設けられ、前記サポートにおける前記フロント位置規制突起より後ろ側には、リヤ位置規制突起が設けられ、ハウジングにおけるフロント位置規制突起とリヤ位置規制突起との間には、前記リヤ位置規制突起に当接して係合することにより、サポートに対するハウジングの後方移動限界を規制するためのハウジング位置規制部が設けられる、ことを特徴とする付記１〜４のいずれか１つに記載のコネクタ。
【００２７】
（付記６）
粘着スリーブと、先端が差し込み側であるサポートとを含む、コネクタの浮遊調整可能なシール機構において、サポートの内部孔は、案内方向が前後方向に沿って延びる案内取付セクションを有し、粘着スリーブには、前記案内取付セクションに摺動して密封係合する案内係合セクションが設けられ、粘着スリーブは、案内係合セクションによって前記サポートの内部孔に取り付けられ、案内取付セクションの長さは、前記案内係合セクションの長さより大きい、ことを特徴とする浮遊調整可能なシール機構。
【００２８】
（付記７）
粘着スリーブにおける前記案内係合セクションより後ろ側には、少なくとも２つの回転停止キー溝が設けられ、サポートの内部孔壁には、対応する回転停止キー溝に前後方向に沿って挿入される回転停止キーが設けられ、各回転停止キー溝の後端部には、後ろから前方に向かって径が徐々に小さくなる案内ノッチを有し、案内ノッチの両側溝壁は、直線状壁面または円弧状壁面であり、隣接する２つの案内ノッチの隣接側溝壁の後端部は、一体に連結される、ことを特徴とする付記６に記載の浮遊調整可能なシール機構。
【００２９】
（付記８）
粘着スリーブの前端部には、プラグと連結するための支持連結スリーブが設けられ、支持連結スリーブの外周面には、支持連結スリーブの周方向に沿って延びる長い溝が設けられる、ことを特徴とする付記６に記載の浮遊調整可能なシール機構。
【００３０】
（付記９）
サポートの前端部には、対応するレセプタクルに回転停止するように差し込まれる回転防止差込構造が設けられる、ことを特徴とする付記６に記載の浮遊調整可能なシール機構。
【００３１】
（付記１０）
サポートは、回転可能なハウジングに内包され、サポートには、ハウジングの前方移動限界を規制するフロント位置規制突起が設けられ、前記サポートにおける前記フロント位置規制突起より後ろ側には、リヤ位置規制突起が設けられ、ハウジングにおけるフロント位置規制突起とリヤ位置規制突起との間には、前記リヤ位置規制突起に当接して係合することにより、サポートに対するハウジングの後方移動限界を制限するためのハウジング位置規制部が設けられる、ことを特徴とする付記６〜９のいずれか１つに記載の浮遊調整可能なシール機構。
【図１】
0006442085.tif 000002